(57)【要約】  【課題】  遊技盤に役物を取り付けても、ガラス板と役物との距離を十分に確保できる遊技機を提供する。  【解決手段】  このパチンコ機では、遊技盤２の盤面上において、役物（例えば、左サイド役物３５及び右サイド役物３６）の固定箇所を削って凹部３３，３４を設け、その凹部３３，３４の内側に、各種役物を嵌めて固定する。これにによって、役物の前面（遊技者に対向する前面）とガラス板との隙間を十分に確保することができる。これにより、遊技盤２の盤面上に固定された左サイド役物３５及び右サイド役物３６の上までも遊技球が通過することができ、さらには遊技領域４の空間も増大するため、従来にはない複雑な遊技盤２を作成することができる。【選択図】  図３
2006305028.tif 000002
【特許請求の範囲】
【請求項１】
遊技媒体が流下する遊技領域を備えた遊技盤と、当該遊技盤の遊技者に対向する前面に対向して配置され、前記遊技盤の前面を保護するガラス板とを備えた遊技機であって、
前記遊技盤の前面上の第１の役物が固定される部分に、前記第１の役物の外縁形状に合わせて刻設された凹部を備え、
当該凹部に固定された第１の役物の遊技者に対向する前面と、前記遊技盤の前面とが同一平面になっていることを特徴とする遊技機。
【請求項２】
前記第１の役物の前面の一部に重ねられ、当該前面の一部と前記遊技盤の前面との間に掛け渡して固定された第２の役物を備えていることを特徴とする請求項１に記載の遊技機。
【請求項３】
前記第１の役物と前記第２の役物とが互いに重なる部分は、同一のネジで前記遊技盤に固定されていることを特徴とする請求項２に記載の遊技機。
【発明の詳細な説明】
【技術分野】
【０００１】
本発明は、遊技機に関し、詳細には、遊技盤上に複数の役物が固定された遊技機に関する。
【背景技術】
【０００２】
従来、遊技機の一種であるパチンコ機では、遊技球が流下する遊技盤面上の遊技領域の至るところに、障害釘や、羽根車や、ゲート並びに入賞口等の各種役物（構造物）が各々組み付けられている。そして、これら各種役物は、一般的には、ビス止めによって遊技盤面上に固定されているため、役物１つを遊技盤面に固定する度にビス止めを毎回行っていた。これにより、役物の取り付け作業における工数が増えてしまい、作業効率が落ちる要因となっていた。さらに、遊技盤面に組み付ける役物の点数が多ければ多いほど、ビスの数も増えることから、遊技盤の外観の見栄えも悪くなっていた。
【０００３】
これを解決するため、例えば、遊技盤の裏面に、第１ユニットの取付け位置を設定する位置決め孔を刻設し、その位置決め孔に対して、第１ユニットの位置決め体を係入させ、遊技盤前面側より遊技盤に装着する第２ユニットに設けられた係合手段を、第１ユニットに形成された被係合部に係止させ、遊技盤に第１ユニットと第２ユニットとを一体して離脱可能に組み付けることによって、第１ユニット及び第２ユニットのビス止めをなくしたパチンコ遊技機およびパチンコ遊技機における遊技部材取付け構造が知られている（例えば、特許文献１参照）。このパチンコ機によれば、役物の取り付け作業におけるビス止めの作業を無くすことができるので、役物の取り付け作業の効率を向上できる。さらに、ビスを使わないことから、遊技盤の外観の見栄えを良くすることができる。
【特許文献１】特開２００１−１１２９５０号公報
【発明の開示】
【発明が解決しようとする課題】
【０００４】
しかしながら、特許文献１に記載のパチンコ遊技機およびパチンコ遊技機における遊技部材取付け構造によれば、第１ユニットに組み付けられた第２ユニットは遊技盤面から前方に向かってかなり突出するため、第２ユニットと遊技盤の前方に設けられたガラス板との距離が狭くなる問題点があった。さらに、その第２ユニットに対して別のユニットを組み付けてしまうと、ガラス板と役物との距離はさらに狭くなり、遊技領域自体が狭くなることから、複雑な遊技盤を作成することが困難であった。また、広い遊技領域を確保するために、遊技盤とガラス板との離間幅を広くすることも考えられるが、遊技機自体が巨大化するため、予め定められた設置スペースに配置できないという問題点もあった。さらに、第１ユニットに第２ユニットを組み付ける構造は、係合手段と被係合部との係止によってなされているので、従来のビス止めに比べると組み付け強度が弱いという問題点もあった。
【０００５】
本発明は、上述の課題を解決するためになされたものであり、遊技盤に役物を取り付けても、ガラス板と役物との距離を十分に確保できる遊技機を提供することを目的とする。
【課題を解決するための手段】
【０００６】
上記目的を達成するために、請求項１に係る発明の遊技機では、遊技媒体が流下する遊技領域を備えた遊技盤と、当該遊技盤の遊技者に対向する前面に対向して配置され、前記遊技盤の前面を保護するガラス板とを備えた遊技機であって、前記遊技盤の前面上の第１の役物が固定される部分に、前記第１の役物の外縁形状に合わせて刻設された凹部を備え、当該凹部に固定された第１の役物の遊技者に対向する前面と、前記遊技盤の前面とが同一平面になっている。
【０００７】
また、請求項２に係る発明の遊技機では、請求項１に記載の発明の構成に加え、前記第１の役物の前面の一部に重ねられ、当該前面の一部と前記遊技盤の前面との間に掛け渡して固定された第２の役物を備えている。
【０００８】
また、請求項３に係る発明の遊技機では、請求項２に記載の発明の構成に加え、前記第１の役物と前記第２の役物とが互いに重なる部分は、同一のネジで前記遊技盤に固定されている。
【０００９】
なお、本発明においては、遊技盤の遊技領域への遊技媒体の発射を調整する発射ハンドルを備えてもよい。
【発明の効果】
【００１０】
請求項１に係る発明の遊技機では、第１の役物は、遊技盤上の組付凹部に嵌められて固定されるので、第１の役物の前面を、遊技盤の前面と同一平面に位置させることができる。これにより、ガラス板と第１の役物の前面との距離を十分に確保できるので、遊技球を第１の役物上にも通過させることができる。さらに、遊技盤上の遊技球が流下する遊技領域を広くすることができるので、様々な役物を組み付けたり、障害釘の配列方法を変えることにより、従来にはない複雑な遊技盤を製造することができる。
【００１１】
また、請求項２に係る発明の遊技機では、請求項１に記載の発明の効果に加え、第２の役物は、遊技盤の前面と同一平面にある第１の役物の前面の一部と、前記遊技盤の前面との間に掛け渡して固定されているので、第２の役物とガラス板との距離を十分に確保することができる。さらに、第２の役物は、第１の役物の一部に重ねられて固定されるので、その分だけ遊技盤上に空きスペースができ、多くの役物を組み付けることができる。
【００１２】
また、請求項３に係る発明の遊技機では、請求項２に記載の発明の効果に加え、第１の役物と第２の役物とでネジを共有することができる。これにより、遊技盤上のネジ止め箇所が減少するので、遊技盤への役物の取り付けを迅速かつ効率よくできる。さらに、役物取り付け時に使用するネジの使用本数を減少できるので、ネジにかかる部品コストを削減することができる。
【発明を実施するための最良の形態】
【００１３】
以下、本発明に係る遊技機の一実施の形態であるパチンコ機１について、図面に基づいて説明する。図１は、本発明の一実施形態であるパチンコ機１の斜視図であり、図２は、パチンコ機１の正面図（ガラス板１３ａは省略）であり、図３は、遊技盤２の正面図であり、図４は、大入賞口装置４０の斜視図であり、図５は、左サイド役物３５の正面図であり、図６は、大入賞口装置４０、左サイド役物３５及び右サイド役物３６が組み付けられる前の遊技盤２の正面図であり、図７は、左サイド役物３５及び右サイド役物３６が各々組み付けられた遊技盤２の正面図であり、図８は、図３に示す左サイド役物３５と大入賞口装置４０との重なり部分を示す部分拡大図であり、図９は、図８に示すＡ−Ａ線矢視方向断面図であり、図１０は、図８に示すＢ−Ｂ線矢視方向断面図である。
【００１４】
以下説明において、図２の紙面手前側をパチンコ機１の前面とし、紙面奥行き方向をパチンコ機１の背面とする。また、図３，図６，図７，図８の紙面手前側を遊技盤２の前面とし、図９及び図１０の左側を遊技盤２の前面とし、右側を遊技盤２の背面とする。
【００１５】
なお、本実施形態であるパチンコ機１では、遊技盤２の盤面上において、役物（例えば、左サイド役物３５及び右サイド役物３６）の固定箇所を削って凹部３３，３４を設け、その凹部３３，３４の内側に、各種役物を嵌めて固定することによって、役物の前面とガラス板１３ａとの隙間を十分に確保することができる点に特徴を有するものである。
【００１６】
はじめに、パチンコ機１の概略構成について説明する。図１に示すように、パチンコ機１は、ホールの島設備（図示外）に取り付けられる略矩形状の外枠１１を備え、当該外枠１１の遊技者に対向する前面側には、略矩形状の中枠１２が開閉可能に設けられている。そして、外枠１１の左側には、上下に配置された上ヒンジ４４と下ヒンジ４６（図２参照）とが各々設けられ、該上ヒンジ４４と下ヒンジ４６によって、中枠１２が軸支されている。さらに、中枠１２の上半分には、正面視略円形状のガラス板１３ａを略中央に保持するガラス枠１３が開閉可能に軸支されている。また、中枠１２の下半分の上部には、発射機に遊技球を供給し、かつ賞品球を受ける上皿５が設けられている。さらに、その上皿５の直下には、賞品球を受ける下皿６が設けられ、その下皿６の右横には遊技球の発射を調整する発射ハンドル７が設けられている。一方、図２に示すように、ガラス枠１３の右上のコーナーにはスピーカ２３が設けられ、ガラス枠１３の左上のコーナーにもスピーカ２４が設けられている。また、ガラス枠１３に保持されたガラス板１３ａの後方には、中枠１２の上半分に支持されるとともに、発射ハンドル７の操作によって発射機から発射された遊技球が流下する遊技盤２が設けられている。そして、この遊技盤２は、自身の前方に位置するガラス板１３ａによって保護されている。
【００１７】
次に、遊技盤２について説明する。図３に示すように、遊技盤２は略正方形の木製の平板である。そして、遊技盤２の前面（遊技者側に対向する面）の略中央には、略円形状に配設された帯状の外レール３０が立設され、該外レール３０の内側には、略円形状の遊技領域４が設けられている。そして、発射ハンドル７を操作することにより発射された遊技球が外レール３０に導かれて遊技領域４へ侵入し、遊技領域４内を流下するようになっている。さらに、外レール３０の内側面より所定の隙間を空けて、外レール３０と同形状の内レール３１が、遊技領域４の下部から上部に向かって半円弧状に立設されている。そして、内レール３１の先端部の内側面には、ファール球防止部材３１ａが設けられている。このファール球防止部材３１ａは、発射機によって打ち出され、遊技球放出口３２から遊技領域４に放出された遊技球が、再度遊技球放出口３２に侵入することを防止するものである。
【００１８】
さらに、遊技領域４の略中央には、ＬＣＤから構成された図柄表示装置２８、各種ランプ及びＬＥＤ等を備えたセンター役物８が設けられている。そして、センター役物８の下側には特別図柄始動電動役物１５が設けられ、該特別図柄始動電動役物１５の左側方には普通図柄始動ゲート１０が設けられている。一方、特別図柄始動電動役物１５の下方には、開閉扉４３（図４参照）を略中央に備えた大入賞口装置４０が設けられている。そして、この大入賞口装置４０の両端には、普通入賞口１７，１８が各々設けられている。また、遊技領域４の下半分における左外縁部近傍には、普通入賞口１９を備えた左サイド役物３５が設けられ、右外縁部近傍には、普通入賞口２０を備えた右サイド役物３６が設けられている。なお、後述するが、これら左サイド役物３５及び右サイド役物３６は、遊技盤２の盤面を予め削って設けられた凹部３３，３４に各々嵌めて固定するようになっている。そして、この点が本発明の特徴の１つとなっている。
【００１９】
次に、大入賞口装置４０について説明する。図４に示すように、大入賞口装置４０は、略直方体状の装置本体４１と、該装置本体４１の前面（遊技者に対向する側の面）に設けられ、遊技盤２の前面に取り付けるための横長の平板である台板４２とで構成されている。さらに、その台板４２の略中央には、装置本体４１内部に連通する開閉扉４３が設けられている。そして、装置本体４１の内部には、その開閉扉４３と連通する大入賞口（図示外）が設けられるとともに、開閉扉４３を開閉駆動するソレノイド（図示外）や、入賞球を検知する検知センサ（図示外）等が設けられている。よって、開閉扉４３は、一定の条件で大当たりとなった場合に開閉扉４３が開放駆動されるため、多数の遊技球が大入賞口（図示外）へと導かれるようになっている。また、この装置本体４１は、遊技盤２の下部中央に設けられた挿入穴部５０（図６参照）に挿入される。これにより、台板４２を、遊技盤２の前面に密着して取り付けることができる。なお、図４に示す大入賞口装置４０が、「大２の役物」に相当する。
【００２０】
次に、台板４２について説明する。図４に示すように、台板４２は、普通入賞口１７を自身の前面に支持する左サイド部４２ａと、普通入賞口１８を自身の前面に支持する右サイド部４２ｂと、自身の略中央に開閉扉４３を備える中央部４２ｃとの各平板で構成されている。そして、左サイド部４２ａの左端部の下側角部近傍には、ビス６０（図１０参照）が挿入される孔部４５が穿設され、左サイド部４２ａと中央部４２ｃとの境界近傍における上下部分にも、孔部４５，４５が各々穿設されている。一方、右サイド部４２ｂの右端部の下側角部近傍にも、ビス６０が挿入される孔部４５が穿設され、右サイド部４２ｂと中央部４２ｃとの境界近傍における上下部分にも、孔部４５，４５が各々穿設されている。このような台板４２は、その前面側に絵柄や色彩等の装飾が取り付けられるパチンコ機１に合わせた形状に形成され、パチンコ機１の装飾効果を高めている。
【００２１】
次に、左サイド役物３５及び右サイド役物３６について説明する。なお、左サイド役物３５と右サイド役物３６とは左右対称の同一形状であるため、ここでは、左サイド役物３５を例として説明し、右サイド役物３６の説明は省略する。図５に示すように、左サイド役物３５は、上方から下方に向かって片側に湾曲した形状を備え、内レール３１（図３参照）の長手方向に沿うようにして形成された略三日月状のサイド役物本体３７と、該サイド役物本体３７の長手方向中央部よりもやや下側に設けられ、サイド役物本体３７の湾曲する内側に向かって突設され、普通入賞口１９を自身の前面に支持する略三角形状の突出部３８とで構成されている。さらに、サイド役物本体３７の上端部及び下端部には、ビス６０が挿入されるための孔部３５ａ，３５ｂが各々設けられ、突出部３８の先端部近傍にも同様の孔部３５ｃが設けられている。そして、このような構成からなる左サイド役物３５及び右サイド役物３６は、遊技盤２の盤面上に予め設けられた凹部３３，３４の内側に嵌めて各々固定されるようになっている。なお、右サイド役物３６も同様に、孔部３６ａ，３６ｂ及び３６ｃが各箇所に穿設されている（図７参照）。なお、図３，図５に示す左サイド役物３５と右サイド役物３６とが、「第１の役物」に相当する。
【００２２】
次に、凹部３３，３４について説明する。図６に示すように、遊技盤２における遊技領域４の下半分の左右両縁端部近傍には、左サイド役物３５及び右サイド役物３６の外縁形状に合わせて削られて形成された凹部３３と凹部３４とが各々設けられている。そして、この凹部３３の底部には、左サイド役物３５の孔部３５ａ（図５参照）に対向する孔部３３ａと、左サイド役物３５の孔部３５ｂ（図５参照）に対向する孔部３３ｂと、左サイド役物３５の孔部３５ｃ（図５参照）に対向する孔部３３ｃとが各々設けられている。一方、凹部３４の底部にも、右サイド役物３６の孔部３６ａ，３６ｂ及び３６ｃに各々対向する孔部３４ａ，３４ｂ及び３４ｃが各々設けられている。また、これら凹部３３，３４の深さは、左サイド役物３５及び右サイド役物３６の高さと同じ長さになっているため、凹部３３，３４の内側に左サイド役物３５及び右サイド役物３６が完全に収納され、遊技盤２の前面と、左サイド役物３５及び右サイド役物３６の前面（遊技者に対向する面）とが略同一平面とすることができる。なお、左サイド役物３５及び右サイド役物３６に各々支持された普通入賞口１９，２０は、凹部３３，３４から突出している。このため、遊技盤２を流下する遊技球は、凹部３３，３４を各々通過できるようになっている。
【００２３】
次に、左サイド役物３５，右サイド役物３６及び大入賞口装置４０を組み付ける手順について説明する。まず、図６に示すように、遊技盤２の盤面上に左サイド役物３５，右サイド役物３６及び大入賞口装置４０がまだ組み付けられていない状態において、凹部３３，３４及び挿入穴部５０は露出した状態となっている。
【００２４】
そして、図７に示すように、まず、凹部３３の内側に左サイド役物３５を嵌め込む。このとき、左サイド役物３５の孔部３５ａが凹部３３側の孔部３３ａ（図６参照）に、左サイド役物３５の孔部３５ｂが凹部３３側の孔部３３ｂ（図６参照）に、左サイド役物３５の孔部３５ｃが凹部３３側の孔部３３ｃ（図６参照）に対向する。一方、凹部３３側と同様にして、凹部３４の内側に右サイド役物３６を嵌め込む。このとき、右サイド役物３６の孔部３６ａが凹部３４側の孔部３４ａ（図６参照）に、右サイド役物３６の孔部３６ｂが凹部３４側の孔部３４ｂ（図６参照）に、右サイド役物３６の孔部３６ｃが凹部３４側の孔部３４ｃ（図６参照）に対向する。そして、左サイド役物３５及び右サイド役物３６は、凹部３３，３４に完全に収納されるため、左サイド役物３５及び右サイド役物３６の各前面と、遊技盤２の盤面とが略同一平面となる。
【００２５】
次いで、図３に示すように、大入賞口装置４０を遊技盤２に組み付ける。まず、図４に示す大入賞口装置４０の装置本体４１を、図７に示す遊技盤２の挿入穴部５０に挿入し、台板４２の裏面を遊技盤２の前面に密着させる。このとき、図８に示すように、台板４２の左サイド部４２ａの左端部近傍は、左サイド役物３５の下端部近傍に重ねられ、さらに、左サイド部４２ａの左端部の下側角部近傍の孔部４５（図４参照）は、左サイド役物３５の下端部の孔部３５ｂ（図５参照）に対向する。一方、台板４２の右サイド部４２ｂ（図４参照）の右端部近傍も、右サイド役物３６（図６参照）の下端部近傍に重ねられ、さらに、右サイド部４２ｂの右端部の下側角部近傍の孔部４５（図５参照）が、右サイド役物３６側の孔部３６ｂに対向する。
【００２６】
そして、図３，図８に示すように、大入賞口装置４０の台板４２に各々穿設された各孔部４５に対して、ビス６０を各々挿入し、遊技盤２の前面に固定する。さらに、左サイド役物３５の孔部３５ａ，３５ｃ（図７参照）と、右サイド役物３６の孔部３６ａ，３６ｃにビス６０を各々挿入し、遊技盤２の前面に固定する。これにより、大入賞口装置４０、左サイド役物３５及び右サイド役物３６が遊技盤２に固定される。また、大入賞口装置４０と左サイド役物３５、大入賞口装置４０と右サイド役物３６とを部分的に重ねることによって、その重ねられた部分を１本のビス６０で固定することができる。これにより、大入賞口装置４０、左サイド役物３５及び右サイド役物３６の遊技盤２への固定に必要なビス６０の本数を節約することができ、ビス６０にかかるコストを節約することができる。なお、図９，図１０に示すビス６０が、「ネジ」に相当する。
【００２７】
また、図９に示すように、左サイド役物３５は、凹部３３の内側に完全に収納されており、その前面と遊技盤２の盤面とが略同一平面内に含まれることとなる。これにより、従来ならば、遊技盤２の盤面上に直接左サイド役物３５を固定することによって、左サイド役物３５の前面とガラス板１３ａとの隙間が狭くなっていたが、本実施形態であれば、左サイド役物３５の前面とガラス板１３ａとの間が狭くならず、十分な隙間を確保することができる。この点については、右サイド役物３６側についても同様である。
【００２８】
さらに、図１０に示すように、左サイド役物３５と、大入賞口装置４０の台板４２の左サイド部４２ａとの重なり部分においては、従来ならば、役物の上に役物が重なって遊技盤２の盤面上に固定された場合は、最前部の役物の前面とガラス板１３ａとの隙間が狭くなっていた。しかし、本実施形態であれば、左サイド役物３５は、遊技盤２の凹部３３内に収納された状態になっているため、大入賞口装置４０の台板４２の厚さだけ、大入賞口装置４０前面とガラス板１３ａとの間を狭めるだけであるので、十分な隙間を確保することができる。この点については、右サイド役物３６側についても同様である。
【００２９】
したがって、遊技盤２の盤面上に固定された左サイド役物３５及び右サイド役物３６の上までも遊技球が通過することができ、さらには遊技領域４の空間も増大するため、従来にはない複雑な遊技盤２を作成することができる。
【００３０】
以上説明したように、本実施形態であるパチンコ機１では、遊技盤２の盤面上において、役物（例えば、左サイド役物３５及び右サイド役物３６）の固定箇所を削って凹部３３，３４を設け、その凹部３３，３４の内側に、各種役物を嵌めて固定することによって、役物の前面とガラス板１３ａとの隙間を十分に確保することができる。これにより、遊技盤２の盤面上に固定された左サイド役物３５及び右サイド役物３６の上までも遊技球が通過することができ、さらには遊技領域４の空間も増大するため、従来にはない複雑な遊技盤２を作成することができる。
【００３１】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【００３２】
また、本実施形態では一例として、遊技盤２の盤面上において、左サイド役物３５（右サイド役物３６）の固定部分を削って凹部３３（凹部３４）を形成したが、他の役物についても適用可能である。また、ある役物の固定部分と、他の役物の固定部分との距離が近接していれば、それら一対の固定部分を互いに重ねて、１本のビス６０で固定するようにすればよい。
【産業上の利用可能性】
【００３３】
本発明の遊技機は、パチンコ機に限られず、パチコン機およびスロット等の遊技機に適用可能である。
【図面の簡単な説明】
【００３４】
【図１】本発明の一実施形態であるパチンコ機１の斜視図である。
【図２】パチンコ機１の正面図（ガラス板１３ａは省略）である。
【図３】遊技盤２の正面図である。
【図４】大入賞口装置４０の斜視図である。
【図５】左サイド役物３５の正面図である。
【図６】大入賞口装置４０、左サイド役物３５及び右サイド役物３６が組み付けられる前の遊技盤２の正面図である。
【図７】左サイド役物３５及び右サイド役物３６が各々組み付けられた遊技盤２の正面図である。
【図８】図３に示す左サイド役物３５と大入賞口装置４０との重なり部分を示す部分拡大図である。
【図９】図８に示すＡ−Ａ線矢視方向断面図である。
【図１０】図８に示すＢ−Ｂ線矢視方向断面図である。
【符号の説明】
【００３５】
１    パチンコ機
２    遊技盤
４    遊技領域
１３ａ  ガラス板
３３    凹部
３４    凹部
３４ａ  孔部
３５    左サイド役物
３６    右サイド役物
４０    大入賞口装置
６０    ビス
【図１】
2006305028.tif 000003
【図２】
2006305028.tif 000004
【図３】
2006305028.tif 000005
【図４】
2006305028.tif 000006
【図５】
2006305028.tif 000007
【図６】
2006305028.tif 000008
【図７】
2006305028.tif 000009
【図８】
2006305028.tif 000010
【図９】
2006305028.tif 000011
【図１０】
2006305028.tif 000012